(57)【要約】【課題】被験者の体動と測定データとを正確に照合することを可能とさせる。【解決手段】パルスオキシメーター１は、患者のバイタルデータを取得する検出部１４と、検出部１４により取得したバイタルデータを記録する記録部１３と、操作者の指示を検知する操作部１２と、制御部１１と、を備え、制御部１１は、操作部１２により所定指示を検知した場合、当該所定指示のなされたタイミングで検出部１４により取得したバイタルデータと、当該所定指示された時刻を示す時刻情報とを紐づけて、記録部１３に記録させる。【選択図】図２
2020174972.tif 000002
【特許請求の範囲】
【請求項１】
被験者のバイタルデータを取得するデータ取得部と、
前記データ取得部により取得したバイタルデータを記録する記録部と、
操作者の指示を検知する検知部と、
前記検知部により所定指示を検知した場合、前記所定指示のなされたタイミングで前記データ取得部により取得したバイタルデータと、前記所定指示された時刻を示す時刻情報とを紐づけて前記記録部に記録させる制御部と、
を備えることを特徴とする生体情報測定装置。
【請求項２】
前記データ取得部は、前記バイタルデータとして血中酸素飽和度を取得することを特徴とする請求項１に記載の生体情報測定装置。
【請求項３】
表示部を備え、
前記制御部は、前記検知部により前記所定指示を検知した場合、前記所定指示された時刻を前記表示部に表示させることを特徴とする請求項１又は２に記載の生体情報測定装置。
【請求項４】
前記制御部は、前記所定指示された時刻を前記表示部に強調表示させることを特徴とする請求項３に記載の生体情報測定装置。
【請求項５】
音声情報を記録する音声記録部を備え、
前記制御部は、前記検知部により前記所定指示を検知した場合、生体情報測定装置の周囲の音声を、前記音声記録部に前記音声情報として記録させることを特徴とする請求項１又は２に記載の生体情報測定装置。
【請求項６】
前記音声情報を解析して、当該音声情報に含まれる単語を文字列化したテキスト情報を抽出する音声解析部をさらに備え、
前記制御部は、前記所定指示のなされたタイミングで前記データ取得部により取得したバイタルデータと、前記音声解析部により抽出した前記テキスト情報とを紐づけて前記記録部に記録させることを特徴とする請求項５に記載の生体情報測定装置。
【請求項７】
前記検知部は、操作者が押下操作する操作スイッチを備え、
前記所定指示は、前記操作スイッチを所定時間以上継続して押下する長押し操作であることを特徴とする請求項１から６のいずれか一項に記載の生体情報測定装置。
【請求項８】
加速度の変化に基づいて被験者の動きを検知する加速度検知部を備え、
前記制御部は、前記データ取得部により取得したバイタルデータと、前記加速度検知部により検知した被験者の動きを示す加速度情報とを紐づけて前記記録部に記録させることを特徴とする請求項１から７のいずれか一項に記載の生体情報測定装置。
【請求項９】
請求項１から８のいずれか一項に記載の生体情報測定装置と、
前記生体情報測定装置と通信可能な情報処理装置と、を備え、
前記情報処理装置は、
前記生体情報測定装置から出力されたバイタルデータ及び時刻情報と、被験者の行動を時間とともに記録した行動記録情報とを照合し、解析を行う解析部を備えることを特徴とする生体情報解析システム。
【請求項１０】
被験者のバイタルデータを取得するデータ取得部と、
前記データ取得部により取得したバイタルデータを記録する記録部と、
操作者の指示を検知する検知部と、を備えた生体情報測定装置と、
前記生体情報測定装置と通信可能な情報処理装置と、
を備えた生体情報解析システムによる生体情報解析方法であって、
前記検知部により所定指示を検知した場合、前記所定指示のなされたタイミングで前記データ取得部により取得したバイタルデータと、前記所定指示された時刻を示す時刻情報とを紐づけて前記記録部に記録させる記録工程を有する
ことを特徴とする生体情報解析方法。
【請求項１１】
前記生体情報測定装置から出力されたバイタルデータ及び時刻情報と、被験者の行動を時間とともに記録した行動記録情報とを照合し、解析を行う解析工程を有することを特徴とする請求項１０に記載の生体情報解析方法。
【請求項１２】
被験者のバイタルデータを取得するデータ取得部と、
前記データ取得部により取得したバイタルデータを記録する記録部と、
操作者の指示を検知する検知部と、
を備えた生体情報測定装置のコンピューターを、
前記検知部により所定指示を検知した場合、前記所定指示のなされたタイミングで前記データ取得部により取得したバイタルデータと、前記所定指示された時刻を示す時刻情報とを紐づけて前記記録部に記録させる制御部として機能させるためのプログラム。
【発明の詳細な説明】
【技術分野】
【０００１】
本発明は、生体情報測定装置、生体情報解析システム、生体情報解析方法及びプログラムに関する。
【背景技術】
【０００２】
従来、生体情報測定装置として、プローブ等の光検出器を指先等の生体部位に付けて血中酸素飽和度（ＳｐＯ２値）や脈拍数等の生体情報を測定するパルスオキシメーターが知られている（例えば、特許文献１参照）。
かかるパルスオキシメーターを用いた生体情報の解析方法の一つとして、例えば、患者（被験者）にパルスオキシメーターを装着させて血中酸素飽和度を連続的に測定すると共に、患者自身や看護師等により患者の行動を時刻とともに用紙等に記録し、その行動記録情報と血中酸素飽和度の測定データとを照合させることが行われている。この照合結果から患者の体動に同期して血中酸素飽和度が低下するか否かを把握することで、呼吸器系疾患症状の発症状態を診断することができる。
【先行技術文献】
【特許文献】
【０００３】
【特許文献１】特表２００３−５２７１４９号公報
【発明の開示】
【発明が解決しようとする課題】
【０００４】
ところで、上記の診断は、行動記録情報と測定データを照合して行うものであり、より正確な診断のため、これらをできるだけ正確に照合させることを可能とする技術が望まれていた。
【０００５】
本発明の課題は、被験者の行動記録情報と測定データとを正確に照合することを可能とさせる生体情報測定装置、生体情報解析システム及び生体情報解析方法を提供することである。
【課題を解決するための手段】
【０００６】
上記課題を解決するため、本発明の生体情報測定装置は、
被験者のバイタルデータを取得するデータ取得部と、
前記データ取得部により取得したバイタルデータを記録する記録部と、
操作者の指示を検知する検知部と、
前記検知部により所定指示を検知した場合、前記所定指示のなされたタイミングで前記データ取得部により取得したバイタルデータと、前記所定指示された時刻を示す時刻情報とを紐づけて前記記録部に記録させる制御部と、
を備えることを特徴とする。
【０００７】
また、本発明の生体情報解析システムは、
上記生体情報測定装置と、
前記生体情報測定装置と通信可能な情報処理装置と、を備え、
前記情報処理装置は、
前記生体情報測定装置から出力されたバイタルデータ及び時刻情報と、被験者の行動を時間とともに記録した行動記録情報とを照合し、解析を行う解析部を備えることを特徴とする。
【０００８】
また、本発明の生体情報解析方法は、
被験者のバイタルデータを取得するデータ取得部と、
前記データ取得部により取得したバイタルデータを記録する記録部と、
操作者の指示を検知する検知部と、を備えた生体情報測定装置と、
前記生体情報測定装置と通信可能な情報処理装置と、
を備えた生体情報解析システムによる生体情報解析方法であって、
前記検知部により所定指示を検知した場合、前記所定指示のなされたタイミングで前記データ取得部により取得したバイタルデータと、前記所定指示された時刻を示す時刻情報とを紐づけて前記記録部に記録させる記録工程を有することを特徴とする。
【０００９】
また、本発明のプログラムは、
被験者のバイタルデータを取得するデータ取得部と、
前記データ取得部により取得したバイタルデータを記録する記録部と、
操作者の指示を検知する検知部と、
を備えた生体情報測定装置のコンピューターを、
前記検知部により所定指示を検知した場合、前記所定指示のなされたタイミングで前記データ取得部により取得したバイタルデータと、前記所定指示された時刻を示す時刻情報とを紐づけて前記記録部に記録させる制御部として機能させるためのプログラムである。
【発明の効果】
【００１０】
本発明によれば、被験者の行動記録情報と測定データとを正確に照合すること可能となる。
【図面の簡単な説明】
【００１１】
【図１】生体情報解析システムの全体構成例を示す図である。
【図２】第１実施形態のパルスオキシメーターの機能構成例を示す図である。
【図３】パルスオキシメーターの外観構成例を示す図である。
【図４】パルスオキシメーターに操作時刻が表示された例を示す図である。
【図５】情報処理装置の機能構成例を示す図である。
【図６】行動記録用紙の構成例を示す図である。
【図７】第２実施形態のパルスオキシメーターの機能構成例を示す図である。
【発明を実施するための形態】
【００１２】
以下、本発明の実施の形態について、図面を参照しながら説明する。ただし、本発明の技術的範囲は、図面に例示したものに限定されるものではない。
【００１３】
＜第１の実施の形態＞
以下、本発明の第１の実施の形態について説明する。
【００１４】
［生体情報解析システムの構成］
図１に、本実施の形態における生体情報解析システム１００の全体構成例を示す。
図１に示すように、生体情報解析システム１００は、例えば、パルスオキシメーター１と、情報処理装置３と、を備えて構成されている。
パルスオキシメーター１と情報処理装置３とは通信可能に接続されており、パルスオキシメーター１にて取得されたバイタルデータ（測定データ）は情報処理装置３に出力され、情報処理装置３にて解析可能である。
【００１５】
［パルスオキシメーターの構成］
パルスオキシメーター１は、患者（被験者）の指等の生体部位に装着され、経皮的動脈血酸素飽和度（ＳｐＯ２）や脈拍数等の生体情報（すなわち、バイタルデータ）を測定する機器である。パルスオキシメーター１は、例えば数分から数時間にわたる所定期間、患者に装着され、バイタルデータを連続的に測定する。
【００１６】
図２に、パルスオキシメーター１の機能構成例を示す。図２に示すように、パルスオキシメーター１は、制御部１１、操作部１２、記録部１３、検出部１４、表示部１５、無線通信部１６、加速度検知部１７、電力供給部１８等を備えて構成されている。
【００１７】
制御部１１は、ＣＰＵ（Central Processing Unit）、ＲＡＭ（Random Access Memory）等により構成される。制御部１１のＣＰＵは、記録部１３に記録されているシステムプログラムや処理プログラム等の各種プログラムを読み出してＲＡＭに展開し、展開されたプログラムに従って各種処理を実行する。
また、制御部１１は、時計機能部を有しており、この時計機能部からバイタルデータの測定日時の日付及び時刻を得ることもできる。
【００１８】
操作部１２は、操作者の指示を検知する検知部であって、各種スイッチ、各種機能ボタン等を備えており、これらの操作信号を制御部１１に出力する。なお、操作部１２の詳細な構成については後述する。
【００１９】
記録部１３は、半導体の不揮発性メモリー等で構成されている。記録部１３には、本実施の形態におけるパルスオキシメーター１を機能させるのに必要なシステムプログラムや各種プログラム、当該プログラムの実行に必要なパラメーターやファイル等が記録されている。
例えば、記録部１３は、測定開始から測定終了までの間、測定しているバイタルデータを連続的に記録する。なお、測定開始から測定終了までの間、一定時間ごとにバイタルデータが記録されることとしても良い。
また、記録部１３には、測定中にタイミングスイッチ１２ｂ（後述）に対して所定操作（所定指示）された際の操作時刻（現在時刻）が、時刻情報として、そのタイミングのバイタルデータに紐づけられて記録される。
【００２０】
検出部１４は、患者のバイタルデータを取得するデータ取得部であって、プローブともいい、指先等の生体部位に装着可能に構成されている。
検出部１４は、測定制御部１４ａによってＬＥＤ駆動回路１４ｂを制御し、検出部１４に備えられた発光部（ＬＥＤ）によって赤色光と赤外光を生体部位に向けて発光し、検出部１４に備えられた受光部（フォトダイオード）により受光した生体部位の透過光（又は反射光）のアナログ信号を、アナログ・フロント・エンド回路１４ｃによってノイズ除去や信号増幅を行い、ＡＤコンバーター１４ｄに入力する為の電圧信号に整えた後、ＡＤコンバーター１４ｄによってデジタルデータに変換する。
ＡＤコンバーター１４ｄによってデジタルデータに変換した後、このデジタルデータをもとに制御部１１でＳｐＯ２や脈拍数等のバイタルデータを算出する。算出されたバイタルデータは、記録部１３に記録される。
【００２１】
表示部１５は、例えばＬＣＤ（Liquid Crystal Display）等を備えて構成され、例えばドットマトリックス方式により表示を行うものであり、制御部１１から入力される表示信号の指示に従って表示を行う。
【００２２】
無線通信部１６は、例えばＢｌｕｅｔｏｏｔｈ（登録商標）やＷｉ−Ｆｉ（登録商標）等の無線通信により情報処理装置３とデータ送受信を行うための無線インターフェースを有する。
【００２３】
加速度検知部１７は、加速度の変化に基づいて患者の動きを検知する。
具体的に、加速度検知部１７は、患者の体動などにより自身に加わる加速度に応じた加速度信号を生成し、制御部１１に出力する。
【００２４】
電力供給部１８は、パルスオキシメーター１の各部が動作に要する電力を当該各部へ供給する。電力供給部１８は、図示しないバッテリーから出力される電力を各部の動作電圧で供給する。
【００２５】
なお、ここでは、制御部１１が時計機能部を有することとしたが、制御部１１とは別に時刻を得るための時計部を備えても良い。
また、加速度検知部１７を備えない構成とすることもできる。
【００２６】
図３に、パルスオキシメーター１の外観構成例を示す。
図３に示すように、パルスオキシメーター１は、腕時計のように患者の手首に対して装着される本体部１０を有する。具体的には、本体部１０は、ベルト状の係止部２０を備え、係止部２０により患者の手首に装着可能である。
また、本体部１０は、指先等の生体部位に装着されるプローブである検出部１４と、信号ケーブル１９を介して接続されている。
【００２７】
本体部１０は扁平状に形成され、その周面や表面に、操作部１２及び表示部１５が設けられている。また、その内部に、制御部１１や記録部１３等に相当する機能を果たす電気回路等が収納されている。
【００２８】
操作部１２は、例えば、電源スイッチ１２ａ、タイミングスイッチ（操作スイッチ）１２ｂを備えて構成されている。
電源スイッチ１２ａは、パルスオキシメーター１の電源のＯＮ／ＯＦＦを切り替えるためのスイッチである。なお、電源のＯＮ／ＯＦＦにより、測定開始／測定終了が実行される。
タイミングスイッチ１２ｂは、所定操作が行われることにより、表示部１５にその所定操作が行われた操作時刻（現在時刻）を表示させるとともに、当該操作時刻（現在時刻）を、その時刻のバイタルデータに紐づけて記録部１３に記録させるためのスイッチである。
所定操作とは、例えば、タイミングスイッチ１２ｂを所定時間以上継続して押下する長押し操作等である。
【００２９】
なお、電源スイッチ１２ａとタイミングスイッチ１２ｂとを別体とせず、電源スイッチ１２ａにタイミングスイッチ１２ｂの機能を兼用させた構成としても良い。すなわち、タイミングスイッチ１２ｂを有さない構成であって、電源スイッチ１２ａに所定操作（長押し操作等）がなされることで、操作時刻（現在時刻）が表示及び記録されることとしても良い。
【００３０】
図４（ａ）は、測定時の、表示部１５の通常の表示内容を示す例であり、図４（ｂ）は、タイミングスイッチ１２ｂが所定操作された際の、表示部１５の表示内容を示す例である。
図４（ａ）に示すように、測定中、例えば、表示部１５には、測定値（ＳｐＯ２、脈拍数）１５ａ、測定開始からの経過時間１５ｂ、脈拍に同期して脈波の強さを示すレベルメーター１５ｃ、測定データを記録中であることを示す「ＲＥＣ」マーク１５ｄなどが表示されている。なお、測定値１５ａ自体は表示させず、「測定中」又は「記録中」などの、パルスオキシメーター１の状態を示す表示がなされていても良い。
そして、タイミングスイッチ１２ｂに対して所定操作がなされると、図４（ｂ）に示すように、操作時刻（現在時刻）１５ｅを示す表示に、表示部１５の表示内容が切り替えられる。
この表示された操作時刻は、患者や看護師等が行動記録用紙（後述）に記録する時刻として用いることができ、図４（ｂ）の例では、かかる時刻を記録することを促すメッセージ１５ｆも表示されているが、かかるメッセージ１５ｆは表示させないこととしても良い。
【００３１】
また、表示部１５に表示された操作時刻は、所定操作前の表示より目立つように、強調表示がなされることが好ましい。
強調表示としては、例えば、所定操作前の文字より文字サイズが大きい、所定操作前の文字と文字色が変わる、所定操作の前後で文字色と地色とが反転する、文字が点滅する等が挙げられるが、これに限定されない。図４（ｂ）は、図４（ａ）に示す所定操作前と比較して、文字サイズが大きくなっている例である。
【００３２】
［情報処理装置の構成］
情報処理装置３は、パルスオキシメーター１から送信されたバイタルデータの解析を行うことの可能な装置である。情報処理装置３としては、例えば、スマートフォンやタブレット、ＰＣ（Personal Computer）等が適用可能であるが、特に限定されない。
【００３３】
図５に、情報処理装置３の機能構成例を示す。図５に示すように、情報処理装置３は、例えば、制御部３１、操作部３２、記録部３３、表示部３４、通信部３５等を備えて構成されている。
【００３４】
制御部３１は、ＣＰＵ、ＲＡＭ等により構成される。制御部３１のＣＰＵは、記録部３３に記録されているシステムプログラムや処理プログラム等の各種プログラムを読み出してＲＡＭに展開し、展開されたプログラムに従って各種処理を実行する。
具体的には、制御部３１は、パルスオキシメーター１から出力されたバイタルデータ及び時刻情報と、患者の行動を時間とともに記録した行動記録情報とを照合し、解析処理を行う。
【００３５】
操作部３２は、各種スイッチ、各種機能ボタン、タッチパネル等を備えており、これらの操作信号を制御部３１に出力する。
【００３６】
記録部３３は、半導体の不揮発性メモリー等で構成されている。記録部３３には、システムプログラムや各種プログラム、当該プログラムの実行に必要なパラメーターやファイル等が記録されている。
例えば、記録部３３には、パルスオキシメーター１から出力された、上記操作時刻（現在時刻）の紐づけられたバイタルデータなどが記録される。
【００３７】
表示部３４は、例えば、ＣＲＴ（Cathode Ray Tube）やＬＣＤ（Liquid Crystal Display）等のモニターを備えて構成されており、制御部３１から入力される表示信号の指示に従って各種画面を表示する。
【００３８】
通信部３５は、例えば、BluetoothやＷｉ−Ｆｉ等の無線通信によりパルスオキシメーター１とデータ送受信を行うためのインターフェースを有する。通信部３５は、ＵＳＢ等の有線インターフェースを有してもよい。
【００３９】
［生体情報解析システムによる解析処理］
次に、生体情報解析システム１００による解析処理について説明する。
本実施の形態における生体情報解析システム１００による解析処理は、パルスオキシメーター１を患者に装着させてバイタルデータを連続的に測定すると共に、患者自身や看護師等により所定の行動記録用紙Ｐ（図６）に患者の行動を記録し、情報処理装置３により、測定されたバイタルデータと、行動記録用紙Ｐに記録された記録データとを照合して行うものである。
これにより、体動に同期してＳｐＯ２が低下するか否かが判断され、体動と呼吸器系疾患症状の発症との因果関係が把握される。
【００４０】
ここで、図６に、行動記録用紙Ｐの一例を示す。
図６に示すように、行動記録用紙Ｐとは、患者の行動（例えば、トイレ、更衣、入浴、洗面、食事、就寝、散歩等）と、その行動を行った時刻と、その行動により発生した症状（例えば、息切れ、動悸、めまい、胸痛等）とを、記録するための用紙である。行動を伴わない、症状発症のみを記録してもよい。
【００４１】
本実施の形態のパルスオキシメーター１の制御部１１は、タイミングスイッチ１２ｂに対して所定操作がなされた場合、表示部１５に操作時間を表示させる。
従って、患者等は、行動記録用紙Ｐに記録を行う際に、上述のようにして表示部１５に時刻を表示させ、この時刻を記録することができる。
また、パルスオキシメーター１の制御部１１は、タイミングスイッチ１２ｂに対して所定操作がなされた時刻（表示部１５に表示された時刻）を示す時刻情報を、その時点のバイタルデータと紐づけて、記録部１３に記録させる(記録工程)。
【００４２】
測定終了後、情報処理装置３は、解析ソフトにより、パルスオキシメーター１から出力されたバイタルデータと、ユーザーにより操作部３２を介して入力された行動記録用紙Ｐに記録された行動記録情報とを照合させ、解析を行う（解析工程）。
照合は、時刻により対応付けられて行われるが、バイタルデータと、行動記録情報とを、同一時刻で対応させることができるため、正確な照合結果を得ることができる。
【００４３】
なお、情報処理装置３と通信可能なスキャナーを備え、スキャナーにより行動記録用紙Ｐの記載内容を読み取って、その読取データ（行動記録情報）を情報処理装置３に出力し、解析に用いる構成としても良い。この場合、行動記録用紙Ｐは、例えば、マークシート方式等にすることも好ましい。
かかる構成によれば、行動記録用紙Ｐの記載内容をデジタルデータに変換できるので、容易かつ確実に照合作業を行うことができる。
【００４４】
［本実施の形態による効果］
以上のように、本実施の形態によれば、パルスオキシメーター１は、患者のバイタルデータを取得する検出部１４と、検出部１４により取得したバイタルデータを記録する記録部１３と、操作者の指示を検知する操作部１２と、制御部１１と、を備える。
そして、制御部１１は、操作部１２により所定指示を検知した場合、当該所定指示のなされたタイミングで検出部１４により取得したバイタルデータと、当該所定指示された時刻を示す時刻情報とを紐づけて、記録部１３に記録させる。
このため、バイタルデータの取得時間が明確になり、行動記録情報に含まれる時刻と合い易くなる。よって、行動記録情報とバイタルデータとを正確に照合することができる。
【００４５】
また、本実施の形態によれば、表示部１５を備え、制御部１１は、操作部１２により所定指示を検知した場合、所定指示された時刻を表示部１５に表示させる。
このため、操作部１２により所定指示を検知した時に、バイタルデータと時刻情報を紐づけて記録させることと合わせて、この記録される時刻情報と同一の時刻を表示部１５に表示する構成となるため、行動記録用紙Ｐにバイタルデータと同期した時刻を記載することができる。
よって、患者の体動とバイタルデータとを正確に照合することができる。
【００４６】
また、本実施の形態によれば、制御部１１は、所定指示された時刻を表示部１５に強調表示させる。
このため、操作部１２により所定指示を検知した時に、表示部１５に表示される時刻が視認し易い表示方法に切り替わることとなり、行動記録用紙Ｐへの時刻の記載が容易となる。
【００４７】
また、本実施の形態によれば、操作部１２は、操作者が押下操作するタイミングスイッチ１２ｂを備え、所定指示は、タイミングスイッチ１２ｂを所定時間以上継続して押下する長押し操作である。
このため、タイミングスイッチ１２ｂの長押し操作により所定指示する構成となり、タイミングスイッチ１２ｂを意図せず押下した場合等の誤操作にて所定指示してしまう事態を抑制することができる。
【００４８】
また、本実施の形態によれば、加速度の変化に基づいて被験者の動きを検知する加速度検知部１７を備え、制御部１１は、検出部１４により取得したバイタルデータと、加速度検知部１７により検知した加速度情報とを紐づけて記録部１３に記録させる。
このため、バイタルデータに同期した行動記録情報と併せて患者の動き（労作）の状態が把握できることとなり、より詳細な情報をもとに解析を行うことが可能となる。
【００４９】
＜第２の実施の形態＞
以下、本発明の第２の実施の形態について、第１の実施の形態と異なる点を中心に説明する。なお、第１の実施の形態と同一の構成については、同一の符号を付してその説明を省略する。
【００５０】
図７に、第２の実施の形態のパルスオキシメーター１Ａの機能構成例を示す。
図７に示すように、パルスオキシメーター１Ａは、制御部１１Ａ、操作部１２、記録部１３、検出部１４、表示部１５、無線通信部１６、加速度検知部１７、電力供給部１８の他に、音声記録部２１と音声解析部２２とを備えて構成されている。
【００５１】
音声記録部２１は、マイクを備え、パルスオキシメーター１Ａの周囲の音声を音声情報として記録する。具体的に、音声記録部２１は、タイミングスイッチ１２ｂに対して所定操作がなされると、マイクによりパルスオキシメーター１Ａの周囲の音声を収集し、記録する。
【００５２】
音声解析部２２は、音声情報を解析して、テキスト情報を取得する。具体的に、音声解析部２２は、音声記録部２１が収集した音声情報を解析し、音声情報に含まれるテキスト情報を抽出する。テキスト情報は、音声情報に含まれる言葉を文字列化したデータであり、単語および文脈の意味を含んでいる。
【００５３】
制御部１１Ａは、音声解析部２２による解析の結果、タイミングスイッチ１２ｂに対して所定操作がなされた時点又はその直後に、患者の行動（例えば、トイレ、更衣、入浴、洗面、食事、就寝、散歩等）、及び／又は、症状（例えば、息切れ、動悸、めまい、胸痛等）を示すテキスト情報があった場合、このテキスト情報も、所定操作がなされた時刻とともに、その時刻のバイタルデータに紐づけて記録部１３に記録させる。
これにより、行動記録用紙Ｐを用いることなく、患者の行動や症状を示す記録記録情報も取得可能な構成とすることができる。
【００５４】
以上のように、本実施の形態によれば、音声情報を記録する音声記録部２１を備え、制御部１１Ａは、操作部１２により操作者の所定指示を検知した場合、パルスオキシメーター１Ａの周囲の音声を、音声記録部２１に音声情報として記録させる。
このため、操作部１２により所定指示を検知した時に、バイタルデータと同期した音声情報を記録することができるので、バイタルデータと同期した時刻情報のみならず、付加的に音声情報を記録することが可能となり、より詳細な情報をもとに解析を行うことが可能となる。
【００５５】
また、本実施の形態によれば、音声情報を解析して、当該音声情報に含まれる単語を文字列化したテキスト情報を抽出する音声解析部２２をさらに備え、制御部１１Ａは、所定指示のなされたタイミングのバイタルデータに、音声解析部２２により抽出したテキスト情報を紐づけて記録部１３に記録させる。
このため、操作部１２により所定指示を検知した時に、バイタルデータと同期したテキスト情報を記録することができるので、バイタルデータと同期して時刻情報のみならず、視認できる情報として付加的にテキスト情報を記録することが可能となり、より詳細な情報をもとに解析を行うことが可能となる。
また、操作者は音声（声）を発することでバイタルデータにテキスト情報を紐づけて記録できるので、容易な操作で、患者の行動や症状を示す記録データを取得可能となる。
【００５６】
＜その他＞
なお、本発明を適用可能な実施の形態は、上述した実施の形態に限定されることなく、本発明の趣旨を逸脱しない範囲で適宜変更可能である。
【００５７】
例えば、上記第１及び第２の実施の形態においては、所定指示として長押し操作を例示して説明したが、音声による所定指示（例えば、「表示」や「記録」などの所定の単語）があった場合、表示部１５に操作時刻を表示させるとともに、当該操作時刻を、その時刻のバイタルデータに紐づけて記録部１３に記録させる構成としてもよい。
すなわち、「所定指示」として、音声による指示を採用することもできる。この場合、音声記録部２１が検知部として機能する。
【００５８】
また、上記第１及び第２の実施の形態においては、操作部１２、１２Ａは、パルスオキシメーター１、１Ａに備えられた構成としたが、パルスオキシメーター１の本体部１０とは別体に構成され、本体部１０と無線通信により通信する構成としても良い。すなわち、遠隔で、操作時刻の表示や記録を指示可能な構成とすることもできる。
別体の操作部としては、例えば、スマートフォンやタブレットなどの携帯端末を用いることができる。
かかる構成によれば、所定操作を遠隔で行えるため、患者以外の人が容易に所定操作を行うことができる。
【００５９】
さらに、この場合、携帯端末のアプリケーションにより、携帯端末の表示部に、患者の行動や症状を選択とさせる選択部（選択ボタン等）を表示させ、携帯端末の操作者による選択操作に応じて、その選択された項目情報をパルスオキシメーター１、１Ａに送信し、操作時刻（現在時刻）と患者の行動や症状を紐づけて記録させる構成とすることもできる。
かかる構成によれば、患者以外の人が、バイタルデータに付加的に項目情報を紐づける操作を容易に行うことが可能となる。
【００６０】
また、患者の行動や症状を選択させる選択部の他、テキストデータとして患者の行動や症状を入力する構成としても良い。
かかる構成によれば、患者以外の人が、より詳細な情報をバイタルデータに付加的に紐づける操作を容易に行うことが可能となる。
【符号の説明】
【００６１】
１００  生体情報解析システム
１、１Ａ  パルスオキシメーター
１０  本体部
１１、１１Ａ  制御部
１２、１２Ａ  操作部（検知部）
１２ａ  電源スイッチ
１２ｂ  タイミングスイッチ（操作スイッチ）
１３  記録部
１４  検出部（データ取得部）
１５  表示部
１６  無線通信部
１７  加速度検知部
１８  電力供給部
１９  信号ケーブル
２０  係止部
２１  音声記録部
２２  音声解析部
３  情報処理装置
３１  制御部（解析部）
３２  操作部
３３  記録部
３４  表示部
３５  通信部
Ｐ  行動記録用紙
【図１】
2020174972.tif 000003
【図２】
2020174972.tif 000004
【図３】
2020174972.tif 000005
【図４】
2020174972.tif 000006
【図５】
2020174972.tif 000007
【図６】
2020174972.tif 000008
【図７】
2020174972.tif 000009